(57)【要約】【課題】簡素な構成にて円滑に異種のディスクに対する再生動作を行い得る光ピックアップ装置およびそれを内蔵した光ディスク装置を提供する。【解決手段】一方のコリメートレンズを用いて再生動作を行う際に、他方のコリメートレンズを経由した反射光（フレア光）が再生動作に影響しないよう、コリメートレンズ１５、２０の位置関係を設定する。たとえば、２つのコリメートレンズ１５、２０は、ＢＤ装着時には、ＨＤ用対物レンズ１９を経由したフレア光がＢＤの再生動作に影響を与えない程度に十分な広がりをもって光検出器２６に照射され、また、ＨＤ装着時には、ＢＤ用対物レンズ２４を経由したフレア光がＨＤの再生動作に影響を与えない程度に十分な広がりをもって光検出器２６に照射されるような位置に配置される。【選択図】図３
2008262663.tif 000002
【特許請求の範囲】
【請求項１】
所定波長のレーザ光を出射するレーザ光源と、
前記レーザ光を記録媒体上に収束させる第１および第２の対物レンズと、
前記第１および第２の対物レンズを一体的に駆動する対物レンズアクチュエータと、
前記レーザ光源と前記第１および第２の対物レンズとの間に配された光路分割素子と、
前記光路分割素子によって分割された２つの前記レーザ光をそれぞれ前記第１および第２の対物レンズへと導く第１および第２の光学系と、
前記第１および第２の光学系にそれぞれ配された第１および第２のレンズ素子と、
前記第１および第２のレンズ素子を前記レーザ光の光軸方向に一体的に変位させるレンズ素子アクチュエータとを備え、
前記第１および第２のレンズ素子は、このうち一方が制御動作位置にあるときに他方が制御動作位置から所定の距離だけ前記レーザ光の光軸方向にシフトした非制御動作位置に位置づけられるよう前記レンズ素子アクチュエータに支持されている、
ことを特徴とする光ピックアップ装置。
【請求項２】
請求項１に記載の光ピックアップ装置において、
前記第１および第２のレンズ素子の何れか一方を前記制御動作位置に位置づけて対応するディスクに対しフォーカスサーチを行う場合、前記非制御動作位置にある方の前記レンズ素子を経由した前記レーザ光にもとづくフォーカスエラー信号の振幅が、フォーカスサーチの際に参照すべきフォーカスエラー信号上の波形振幅を規定する閾値よりも小さくなるよう、前記レンズ素子アクチュエータにおける前記第１および第２のレンズ素子の位置関係が設定されている、
ことを特徴とする光ピックアップ装置。
【請求項３】
請求項１または２に記載の光ピックアップ装置において、
前記第１および第２のレンズ素子の何れか一方を前記制御動作位置に位置づけて対応するディスクに対しフォーカスサーチを行う場合、前記第１および第２の対物レンズを予め設定されたストローク範囲内において変位させても、前記非制御動作位置にある方の前記レンズ素子を経由した前記レーザ光が前記ディスク上に合焦されたことを示す振幅波形がフォーカスエラー信号上に現れないよう、前記レンズ素子アクチュエータにおける前記第１および第２のレンズ素子の位置関係が設定されている、
ことを特徴とする光ピックアップ装置。
【請求項４】
請求項１ないし３の何れか一項に記載の光ピックアップ装置において、
前記第１および第２のレンズ素子の何れか一方を前記制御動作位置に位置づけて対応するディスクに対し前記レーザ光を照射する場合、前記非制御動作位置にある方の前記レンズ素子を経由した前記レーザ光の前記ディスク上における波面収差が所定の値を超えるよう、前記レンズ素子アクチュエータにおける前記第１および第２のレンズ素子の位置関係が設定されている、
ことを特徴とする光ピックアップ装置。
【請求項５】
請求項１ないし４の何れか一項に記載の光ピックアップ装置において、
前記第１および第２のレンズ素子は、前記レーザ光に生じる収差を補正するためのレンズである、
ことを特徴とする光ピックアップ装置。
【請求項６】
請求項１ないし５の何れか一項に記載の光ピックアップ装置において、
前記レンズ素子アクチュエータは、前記第１のレンズ素子と前記第２のレンズ素子の駆動ストロークを調整するための伝達機構を有する、
ことを特徴とする光ピックアップ装置。
【請求項７】
請求項１ないし６の何れか一項に記載の光ピックアップ装置と、
前記レンズ素子アクチュエータを制御して前記第１および第２の対物レンズに入射される前記レーザ光の光学特性を調整するとともに前記第１および第２のレンズ素子のうち何れか一方を前記制御動作位置に位置づけ他方を前記非制御動作位置に位置づけるサーボ回路とを備える、
ことを特徴とする光ディスク装置。
【発明の詳細な説明】
【技術分野】
【０００１】
本発明は、光ピックアップ装置およびそれを内蔵した光ディスク装置に関し、特に、共通の光源から出射されたレーザ光を２つの対物レンズに振り分けるタイプの互換型光ピックアップ装置およびそれを内蔵した光ディスク装置に用いて好適なものである。
【背景技術】
【０００２】
現在、青色波長のレーザ光を用いる光ディスクとして、ＢＤ（ブルーレイディスク）とＨＤＤＶＤ（High-Definition Digital Versatile Disc）の２つが存在する。これらは互いにカバー層の厚みが相違するため、両ディスクに対応可能な互換型の光ピックアップ装置では、各ディスクに適応する２つの対物レンズが配され、一つの半導体レーザから出射された青色波長のレーザ光が、光学系によって、それぞれの対物レンズに割り振られる構成となっている。
【０００３】
以下の特許文献１には、一つの光源から出射されたレーザ光を２つの対物レンズに振り分けるタイプの光ピックアップ装置が記載されている。ここでは、レーザ光を２つの対物レンズに振り分けるために、液晶セルと偏光ビームスプリッタが用いられている。すなわち、液晶セルによってレーザ光の偏光方向が偏光ビームスプリッタに対しＰ偏光とＳ偏光の何れかに変化される。Ｐ偏光となった場合、レーザ光は偏光ビームスプリッタを透過して第１の対物レンズに導かれ、Ｓ偏光となった場合、レーザ光は偏光ビームスプリッタによって反射されてレーザ光が第１の対物レンズに導かれる。
【特許文献１】特開平１１−１２０６０６号公報
【発明の開示】
【発明が解決しようとする課題】
【０００４】
しかしながら、かかる従来技術では、レーザ光を２つの対物レンズに振り分ける手段が配されているため、その分、構成が複雑化し、また、部品点数も増加する。さらに、光路振り分け手段として液晶セルが用いられるため、光ピックアップ装置のコストが上昇し、また、液晶セルを通過する際にレーザ光の強度に減衰が生じる。また、何れの対物レンズにレーザ光を導くかに応じて液晶セルを駆動制御する回路および構成が別途必要となる。
【０００５】
本発明は、このような点に鑑みてなされたものであり、簡素な構成にて円滑に異種のディスクに対する再生動作を行い得る光ピックアップ装置およびそれを内蔵した光ディスク装置を提供することを課題とする。
【課題を解決するための手段】
【０００６】
上記課題に鑑み本発明は、以下の特徴を有する。
【０００７】
第１の発明は、光ピックアップ装置に関するものである。この光ピックアップ装置は、所定波長のレーザ光を出射するレーザ光源と、前記レーザ光を記録媒体上に収束させる第１および第２の対物レンズと、前記第１および第２の対物レンズを一体的に駆動する対物レンズアクチュエータと、前記レーザ光源と前記第１および第２の対物レンズとの間に配された光路分割素子と、前記光路分割素子によって分割された２つの前記レーザ光をそれぞれ前記第１および第２の対物レンズへと導く第１および第２の光学系と、前記第１および第２の光学系にそれぞれ配された第１および第２のレンズ素子と、前記第１および第２のレンズ素子を前記レーザ光の光軸方向に一体的に変位させるレンズ素子アクチュエータとを備え、前記第１および第２のレンズ素子は、このうち一方が制御動作位置にあるときに他方が制御動作位置から所定の距離だけ前記レーザ光の光軸方向にシフトした非制御動作位置に位置づけられるよう前記レンズ素子アクチュエータに支持されていることを特徴とする。
【０００８】
この発明によれば、第１および第２のレンズ素子のうち一方が制御動作位置にあるときは他方が制御動作位置から所定の距離だけレーザ光の光軸方向にシフトした非制御動作位置に位置づけられる。このため、非制御動作位置にあるレンズ素子を経由したレーザ光（フレア光）は、光検出器に対し、大きな広がりをもって照射されることとなり、したがって、このレーザ光（フレア光）が光検出器に照射されても、これにより再生信号が大きく劣化することはない。よって、この発明によれば、制御動作位置にあるレンズ素子を経由したレーザ光によって円滑に再生動作を行うことができる。
【０００９】
また、この発明では、レーザ光の光路切り替え手段を別途配することなく、単に、第１および第２のレンズ素子の位置関係を調整するのみで、上記の如く、再生動作の円滑化が図られる。よって、この発明によれば、上記従来技術に比べ、互換型ピックアップ装置の構成の簡素化ないし部品点数の減少、さらには、制御の簡易化を図ることができる。
【００１０】
なお、第１の発明において、第１および第２のレンズ素子の位置関係は、請求項２ないし４の何れか一項に記載のように設定され得る。請求項２、３の構成を採用すれば、対応するディスクに対し適正にフォーカスサーチ動作を実行することできる。また、請求項４の構成によれば、適正な再生動作を実現できる。請求項２ないし４による効果は、以下の実施の形態において詳述されている。なお、請求項２、３の構成の効果は、図６、図７を参照して説明されている。
【００１１】
第１の発明において、第１および第２の光学素子は、たとえば、収差補正用のレンズとすることができる。以下の実施形態では、収差補正用レンズとしてコリメートレンズ１５または２０が開示されている。
【００１２】
また、第１の発明において、レンズ素子アクチュエータは、第１の光学素子と第２の光学素子の駆動ストロークを調整するための伝達機構を有する構成とすることができる。
【００１３】
第２の発明は、光ディスク装置に関するものである。この光ディスク装置は、第１の発明に係る光ピックアップ装置と、前記レンズ素子アクチュエータを制御して前記第１および第２の対物レンズに入射される前記レーザ光の光学特性を調整するとともに前記第１および第２のレンズ素子のうち何れに一方を前記制御動作位置に位置づけ他方を前記非制御動作位置に位置づけるサーボ回路とを備える。この発明によれば、上記第１の発明と同様の効果が奏される。
【発明の効果】
【００１４】
以上のとおり本発明によれば、簡素な構成にて円滑に異種のディスクに対する再生動作を行い得る光ピックアップ装置およびそれを内蔵した光ディスク装置を提供することができる。
【００１５】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【発明を実施するための最良の形態】
【００１６】
以下、本発明の実施の形態につき図面を参照して説明する。本実施の形態は、ブルーレイディスク（以下、「ＢＤ」という）とＨＤＤＶＤ（以下、「ＨＤ」という）に対応可能な光ピックアップ装置および光ディスク装置に本発明を適用したものである。
【００１７】
まず、図１を参照して実施の形態に係る光ピックアップ装置について説明する。なお、同図（ａ）は、光ピックアップ装置の光学系の平面図、同図（ｂ）は、同図（ａ）の立ち上げミラー１７、２２以降の部分を図中のＸ軸方向に見たときの側面図である。同図（ｂ）中、対物レンズホルダ３１は内部の構造が分かるよう断面図にて示されている。
【００１８】
同図（ａ）（ｂ）において、半導体レーザ１１は、波長４００ｎｍ程度のレーザ光を出射する。１／２波長板１２は、偏光ビームスプリッタ１３に対するレーザ光の偏光方向を調整するために配されている。ここで１／２波長板１２は、偏光ビームスプリッタ１３に対するレーザ光の偏光方向がＰ偏光とＳ偏光に対して４５°の方向（同図（ｃ）の矢印方向）となるよう配置される。
【００１９】
偏光ビームスプリッタ１３は、半導体レーザ１１側から入射されるレーザ光をその偏光方向に応じて透過または反射する。本実施の形態では、上記の如く、１／２波長板１２によって、偏光ビームスプリッタ１３に対するレーザ光の偏光方向がＰ偏光とＳ偏光に対して４５°となっているため、半導体レーザ１１からのレーザ光のうち半分は偏光ビームスプリッタ１３を透過し、残り半分は偏光ビームスプリッタ１３によって反射される。
【００２０】
偏光ビームスプリッタ１３を透過したレーザ光は、ミラー１４によって反射された後、コリメートレンズ１５に入射する。コリメートレンズ１５が、初期位置（後述）にあるとき、レーザ光は、コリメートレンズ１５よって平行光に変換される。その後、このレーザ光は、ミラー１６によって反射され、さらに、立ち上げミラー１７によってＨＤ用対物レンズ１９方向に反射される。
【００２１】
１／４波長板１８は、立ち上げミラー１７によって反射されたレーザ光を円偏光に変換するとともに、ディスクからの反射光を、ディスクへ向かう際の偏光方向に直交する直線偏光（Ｓ偏光）に変換する。これにより、ディスクによって反射されたレーザ光は偏光ビームスプリッタ１３によって反射され光検出器２６へと導かれる。ＨＤ用対物レンズ１９は、１／４波長板１８側から入射されたレーザ光をＨＤ上に適正に収束させるよう設計されている。
【００２２】
半導体レーザ１１から出射されたレーザ光のうち偏光ビームスプリッタ１３によって反射されたレーザ光は、コリメートレンズ２０に入射する。コリメートレンズ２０が、初期位置（後述）にあるとき、レーザ光は、コリメートレンズ２０によって平行光に変換される。その後、レーザ光は、ミラー２１によって反射され、さらに、立ち上げミラー２２によってＢＤ用対物レンズ２４方向に反射される。
【００２３】
１／４波長板２３は、立ち上げミラー２２によって反射されたレーザ光を円偏光に変換するとともに、ディスクからの反射光を、ディスクへ向かう際の偏光方向に直交する直線偏光（Ｐ偏光）に変換する。これにより、ディスクによって反射されたレーザ光は偏光ビームスプリッタ１３を透過し光検出器２６へと導かれる。ＢＤ用対物レンズ２４は、１／４波長板２３側から入射されたレーザ光をＢＤ上に適正に収束させるよう設計されている。
【００２４】
アナモレンズ２５は、ディスクによって反射されたレーザ光に非点収差を導入する。光検出器２６は、受光面に４分割センサを有し、ディスクによって反射されたレーザ光の光軸が４分割センサの２つの分割線の交点を貫くよう配置されている。４分割センサからの信号に基づいて、フォーカスエラー信号、トラッキングエラー信号および再生信号が生成される。
【００２５】
上記２つの１／４波長板１８、２３と、ＨＤ用対物レンズ１９およびＢＤ用対物レンズ２４は、同図（ｂ）に示す如く、共通の対物レンズホルダ３１に装着されている。この対物レンズホルダ３１は、磁気回路とコイルからなる周知の対物レンズアクチュエータによって、フォーカス方向およびトラッキング方向に駆動される。なお、対物レンズホルダ３１には、通常、コイルが配される。同図には、対物レンズアクチュエータのうちコイル３２のみ図示され、磁気回路は、図示省略されている。
【００２６】
上記２つのコリメートレンズのうち、ＢＤ用のコリメートレンズ２０は、レンズホルダ４１に装着されている。レンズホルダ４１は、支持ベース上に平行に配された２本のガイドシャフト４２ａ、４２ｂによって、コリメートレンズ２０の光軸方向に移動可能に支持されている。
【００２７】
レンズホルダ４１には、突出部４１ａが形成されており、この突出部４１ａの下面にラックギア４４が配されている。一方、支持ベースにはモータ４５が設置され、モータ４５の回転軸にウォームギア４５ａが形成されている。ここで、モータ４５は、たとえばステッピングモータによって構成される。レンズホルダ４１の突出部４１ａ下面に配されたラックギア４４は、ウォームギア４５ａと噛合するようモータ４５の回転軸に圧接されている。よって、モータ４５が駆動されると、その駆動力がウォームギア４５ａとラックギア４４を介してレンズホルダ４１に伝達される。これを受けて、レンズホルダ４１がコリメートレンズ２０の光軸方向に移動する。
【００２８】
なお、ガイドシャフト４２ａにはバネ４３が挿入されており、このバネ４３によってレンズホルダ４１がモータ４５の方向に付勢されている。この付勢によって、長手方向におけるモータ軸の機械的な遊びが解消されている。
【００２９】
また、ＨＤ用のコリメートレンズ１５は、レンズホルダ４６に装着されている。レンズホルダ４６は、上記ガイドシャフト４２ｂとこれに平行に支持ベース上に配されたガイドシャフト４２ｃによって、コリメートレンズ１５の光軸方向に移動可能に支持されている。したがって、ガイドシャフト４２ｂには、レンズホルダ４１とレンズホルダ４６の両方が支持されている。このうち、レンズホルダ４６側の２つの被支持部（以下、「第２の被支持部４６ａ、４６ｂ」という）は、レンズホルダ４１側の被支持部（以下、「第１の被支持部４１ｂ」という）を図中のＹ軸方向に挟むよう配されている。また、第１の被支持部４１ｂと第２の被支持部４６ａ、４６ｂの間には所定の隙間が存在している。
【００３０】
なお、ガイドシャフト４２ｂにはバネ４７が挿入されており、このバネ４７の付勢によって、レンズホルダ４６が支持ベース上のストッパ４８に圧接されている。
【００３１】
図２は、レンズホルダ４１、４６の駆動ストロークを説明する図である。
【００３２】
同図（ａ）を参照して、レンズホルダ４１は、ＢＤ装着時の収差補正動作の際、ストロークＳａの範囲で駆動される。この場合、第１の被支持部４１ｂは、第２の被支持部４６ａ、４６ｂに当接せず、第２の被支持部４６ａ、４６ｂ間を移動する。また、第１の被支持部４１ｂと第２の被支持部４６ａ、４６ｂの間には、このストロークＳａの他にストロークＳｂが残されている。
【００３３】
ＨＤ装着時には、レンズホルダ４１が、同図（ａ）の状態から、ストロークＳｂを超えてさらに同図下方に移動される。このとき、第１の被支持部４１ｂは移動途中に第２の被支持部４６ｂに当接し、この状態からさらにレンズホルダ４１が同図下方に移動されることにより、レンズホルダ４６は、バネ４７の付勢に抗して、同図（ｂ）の位置に移動される。これにより、レンズホルダ４６は、コリメートレンズ１５による収差補正位置に位置づけられる。この収差補正動作時に、レンズホルダ４６は、ストロークＳｃの範囲で変位する。
【００３４】
図３は、レンズホルダ４１、４６の移動位置と光検出器２６上に対するレーザ光の照射状態の関係を示す図である。
【００３５】
同図（ａ）に示すＢＤ装着時において、コリメートレンズ２０は、図２のストロークＳａ内の初期位置（レーザ光を平行光とするために予め設定された位置）に位置づけられる。よって、ＢＤからの反射光のうち、ＢＤ用対物レンズ２４を経由した反射光（真正光）は、同図（ａ）の右側に示す如く、光検出器２６の４分割センサの中心に収束される。一方、コリメートレンズ１５は、初期位置から同図中の矢印方向に所定距離だけ変位した位置に位置づけられる。よって、ＢＤからの反射光のうち、ＨＤ用対物レンズ１９を経由した反射光（フレア光）は、同図（ａ）の右側に示す如く、光検出器２６に対し所定の広がりをもって照射される。
【００３６】
また、同図（ｂ）に示すＨＤ装着時において、コリメートレンズ１５は、図２のストロークＳｃ内の初期位置に位置づけられる。よって、ＨＤからの反射光のうち、ＨＤ用対物レンズ１９を経由した反射光（真正光）は、同図（ｂ）の右側に示す如く、光検出器２６の４分割センサの中心に収束される。一方、コリメートレンズ２０は、初期位置から同図中の矢印方向に所定距離だけ変位した位置に位置づけられる。よって、ＨＤからの反射光のうち、ＢＤ用対物レンズ２４を経由した反射光（フレア光）は、同図（ｂ）の右側に示す如く、光検出器２６に対し所定の広がりをもって照射される。
【００３７】
ここで、２つのコリメートレンズ１５、２０は、ＢＤ装着時には、ＨＤ用対物レンズ１９を経由したフレア光がＢＤの再生動作に影響を与えない程度に十分な広がりをもって光検出器２６に照射され、また、ＨＤ装着時には、ＢＤ用対物レンズ２４を経由したフレア光がＨＤの再生動作に影響を与えない程度に十分な広がりをもって光検出器２６に照射されるような位置に配置される。たとえば、フレア光による信号成分が再生ＲＦ信号に対しＤＣ成分となるよう、光検出器２６上におけるフレア光の広がりが、２つのコリメートレンズ１５、２０の配置位置によって調整される。
【００３８】
つまり、本実施の形態では、フレア光が対象ディスクの再生動作に影響を与えないような位置に２つのコリメートレンズ１５、２０の位置関係が設定される。これにより、対象ディスクに対しＨＤ用対物レンズ１９とＢＤ用対物レンズ２４を経由したレーザ光が照射されても、当該ディスクに対する再生動作を円滑に行うことができる。
【００３９】
図４は、上記光ピックアップ装置を内蔵する光ディスク装置の回路構成を示す図である。なお、同図には、光ディスク装置の回路構成のうち光ピックアップ装置に関連する部分のみが示されている。
【００４０】
信号増幅回路５１は、光検出器２６から入力される信号に基づいてフォーカスエラー信号（ＦＥ）、トラッキングエラー信号（ＴＥ）および再生信号（ＲＦ）を生成する。図５に、信号増幅回路５１の構成を示す。図示の如く、信号増幅回路５１は、５つの加算回路１０１〜１０４、１０７と２つの減算回路１０５、１０６から構成されている。上記の如く光検出器２６には４分割センサが配されており、同図に示す各センサＡ〜Ｄからの信号をＡ〜Ｄとすると、フォーカスエラー信号（ＦＥ）、トラッキングエラー信号（ＴＥ）および再生信号（ＲＦ）は、それぞれ、ＦＥ＝（Ａ＋Ｃ）−（Ｂ＋Ｄ）、ＴＥ＝（Ａ＋Ｂ）−（Ｃ＋Ｄ）、ＲＦ＝Ａ＋Ｂ＋Ｃ＋Ｄの演算により生成される。
【００４１】
図４に戻り、再生回路５２は、信号増幅回路５１から入力される再生信号（ＲＦ）を処理してデータを再生する。
【００４２】
サーボ回路５３は、信号増幅回路５１から入力されるフォーカスエラー信号（ＦＥ）およびトラッキングエラー信号（ＴＥ）に基づいてフォーカスサーボ信号とトラッキングサーボ信号を生成し、光ピックアップ装置内のコイル３２（対物レンズアクチュエータ）に供給する。また、サーボ回路５３は、ＢＤ再生時とＨＤ再生時に、信号増幅回路５１から入力される再生信号（ＲＦ）をモニタし、この信号が最良となるようコリメートレンズ２０、１５を駆動制御するためのサーボ信号（収差サーボ信号）を生成して、光ピックアップ装置内のモータ４５に供給する。
【００４３】
さらに、サーボ回路５３は、マイクロコンピュータ５５から入力される制御信号に応じて、第１の位置（コリメートレンズ２０の初期位置）と第２の位置（コリメートレンズ１５の初期位置）の何れかにレンズホルダ４１を位置づけるための信号をモータ４５に供給する。この他、サーボ回路５３は、フォーカス引き込みのための信号を光ピックアップ装置内のコイル３２（対物レンズアクチュエータ）に供給する。
【００４４】
レーザ駆動回路５４は、マイクロコンピュータ５５から入力される制御信号に応じて光ピックアップ装置内の半導体レーザ１１を駆動する。マイクロコンピュータ５５は、内蔵メモリに格納されたプログラムに従って各部を制御する。
【００４５】
次に、図１を参照して、光ピックアップ装置の動作について説明する。
【００４６】
光ディスク装置にＢＤが装着された場合、レンズホルダ４１が第１の位置に位置づけられる。これにより、コリメートレンズ２０は、図２のストロークＳａ内の初期位置に位置づけられ、コリメートレンズ１５は、初期位置から所定距離だけ光軸方向にシフトした位置に位置づけられる。したがって、上記図３（ａ）を参照して説明した如く、ＢＤからの反射光のうち、ＢＤ用対物レンズ２４を経由した反射光（真正光）は、光検出器２６の４分割センサの中心に収束され、ＨＤ用対物レンズ１９を経由した反射光（フレア光）は、光検出器２６に対し、再生動作に影響を与えない程度に十分な広がりをもって光検出器２６に照射される。よって、ＢＤ用対物レンズ２４を経由するレーザ光によってＢＤに対する再生動作が行われる。
【００４７】
光ディスク装置にＨＤが装着された場合、レンズホルダ４１が第２の位置に位置づけられる。これにより、コリメートレンズ１５は、図２のストロークＳｃ内の初期位置に位置づけられ、コリメートレンズ２０は、初期位置から所定距離だけ光軸方向にシフトした位置に位置づけられる。したがって、上記図３（ｂ）を参照して説明した如く、ＨＤからの反射光のうち、ＨＤ用対物レンズ１９を経由した反射光（真正光）は、光検出器２６の４分割センサの中心に収束され、ＢＤ用対物レンズ２４を経由した反射光（フレア光）は、光検出器２６に対し、再生動作に影響を与えない程度に十分な広がりをもって光検出器２６に照射される。よって、ＨＤ用対物レンズ１９を経由するレーザ光によってＨＤに対する再生動作が行われる。
【００４８】
かかる再生動作において、ＢＤまたはＨＤによって反射されたレーザ光は、偏光ビームスプリッタ１３を経由してアナモレンズ２５へと導かれ、アナモレンズ２５によって非点収差が導入された後、光検出器２６の受光面（４分割センサ）上に収束される。
【００４９】
ＢＤに対する再生動作中、モータ４５には収差サーボ信号が供給され、コリメートレンズ２０が、収差補正のストローク範囲（図２のストロークＳａ）内において光軸方向に微動される。これにより、ＢＤ上においてレーザ光に生じる収差が抑制される。また、ＨＤに対する再生動作中、モータ４５には収差サーボ信号が供給され、コリメートレンズ１５が、収差補正のストローク範囲（図２のストロークＳｃ）内において光軸方向に微動される。これにより、ＨＤ上においてレーザ光に生じる収差が抑制される。
【００５０】
なお、本実施の形態では、ＨＤ用対物レンズ１９とＢＤ用対物レンズ２４をそれぞれ経由したレーザ光が対象ディスクに同時に照射されるため、フォーカスサーチの際には、フォーカスエラー信号上に、各レーザ光に基づく２つのＳ字カーブが生じる。したがって、フォーカスサーチ時には、本来参照すべき方のＳ字カーブ（真のＳ字カーブ）をもとにフォーカス引き込みを行う必要がある。
【００５１】
この場合、たとえば、図６に示す如く、本来参照すべきでないＳ字カーブ（偽のＳ字カーブ）の振幅（同図ではＦＥ２）がそのＳ字カーブを参照すべきかの基準となる閾値ＦＥｓｈよりも小さくなるよう、２つのコリメートレンズ１５、２０の位置関係を設定することにより、本来参照すべき方のＳ字カーブ（真のＳ字カーブ）をもとにフォーカス引き込みを行うことができる。ここで、偽のＳ字カーブの振幅は、ＢＤ再生時には初期位置に対するコリメートレンズ１５のシフト量によって、また、ＨＤ再生時には初期位置に対するコリメートレンズ２０のシフト量によって調節可能である。
【００５２】
したがって、上記再生ＲＦ信号に対するフレア光の影響の他、偽のＳ字カーブの振幅を閾値ＦＥｓｈよりも小さくすることをも考慮して、２つのコリメートレンズ１５、２０の位置関係を設定することにより、再生動作の円滑化とともにフォーカス引き込みの安定化をも実現することができる。
【００５３】
なお、図７に示すように、フォーカス引き込み時における対物レンズの移動ストロークが予め設定されている場合には、この移動ストローク内に偽のＳ字カーブが含まれないよう、２つのコリメートレンズ１５、２０の位置関係を設定し、これにより、偽のＳ字カーブに対するフォーカス引き込みを抑制するようにすることもできる。
【００５４】
具体的には、同図（ａ）に示すＢＤ装着時（対象ディスクがＢＤであるとしてフォーカス引き込みを試行する場合）には、ＢＤ用に設定されたフォーカス引き込みストロークＤfs１内に偽のＳ字カーブが含まれないよう、Ｓ字カーブの間隔Δｄ１が設定され、また、同図（ｂ）に示すＨＤ装着時（対象ディスクがＨＤであるとしてフォーカス引き込みを試行する場合）には、ＨＤ用に設定されたフォーカス引き込みストロークＤfs２内に偽のＳ字カーブが含まれないよう、Ｓ字カーブの間隔Δｄ２が設定される。ここで、間隔Δｄ１、Δｄ２は、ＢＤ装着時には初期位置に対するコリメートレンズ１５のシフト量によって、また、ＨＤ装着時には初期位置に対するコリメートレンズ２０のシフト量によって調節可能である。
【００５５】
なお、Ｓ字カーブの間隔Δｄ１、Δｄ２は、ＨＤ用対物レンズ１９におけるレーザ光の焦点位置とＢＤ用対物レンズ２４におけるレーザ光の焦点位置のレーザ光軸方向における間隔に相当する。
【００５６】
この他、コリメートレンズ１５、２０の位置関係を設定する際の条件として、ディスク上におけるレーザ光の波面収差を用いることもできる。すなわち、一方のコリメートレンズを用いて再生動作を行う際に、他方のコリメートレンズを経由したレーザ光のディスク上における波面収差が所定の値（たとえば、７０ｍλ）以上となるよう、コリメートレンズ１５、２０の位置関係を設定する。こうすると、他方のコリメートレンズを経由したレーザ光はディスク上において適正に絞れなくなり、結果、再生動作に対する当該レーザ光の影響が抑制される。
【００５７】
以上、本実施の形態によれば、一方のコリメートレンズを用いて再生動作を行う際に、他方のコリメートレンズが、フレア光が再生動作に影響しない位置に位置づけられるため、対象ディスクに対する円滑な再生動作が実現される。また、本実施の形態では、各対物レンズに対するレーザ光の光路切り替え手段を別途配することなく、単に、２つのコリメートレンズの位置関係を調整するのみで、再生動作の円滑化が図られる。よって、本実施の形態では、互換型ピックアップ装置の構成の簡素化ないし部品点数の減少、さらには、制御の簡易化が図られる。
【００５８】
このように、本実施の形態によれば、簡素な構成にて円滑にＢＤおよびＨＤに対する再生動作を行い得る光ピックアップ装置およびそれを内蔵した光ディスク装置を提供することができる。
【００５９】
なお、本発明は上記実施の形態に制限されるものではなく、また、本発明の実施形態も、上記以外に種々の変更が可能である。
【００６０】
たとえば、ＨＤ用対物レンズ１９とＢＤ用対物レンズ２４を図８に示すように配置することもできる。この場合、図１におけるミラー１６、２１を省略でき、構成の簡素化と部品点数の減少が図られる。
【００６１】
また、上記実施の形態では、１ビームプッシュプルにてトラッキングエラー信号（ＴＥ）を生成するようにしたが、たとえば、３ビームを用いたＤＰＰ（Deferential Push Pull）法によりトラッキングエラー信号を生成するよう構成することもできる。この場合、たとえば、図１における１／２波長板１２が、３ビーム用回折格子が表面に形成された１／２波長板に置き換えられる。この１／２波長板は、レーザ光の偏光方向を図１（ｃ）に示すような方向に調整する機能と、半導体レーザ１１からのレーザ光を回折により３ビームに分割する機能の両方を備えている。この他、図１に示す構成において、１／２波長板１２と偏光ビームスプリッタ１３の間に３ビーム用の回折格子を配するようにしても良い。
【００６２】
なお、３ビームによるＤＰＰ法を用いる場合には、ＢＤとＨＤのトラックピッチが異なるため、３ビーム用回折格子のパターンには、たとえばインライン方式のパターンが適用される。こうすれば、対象ディスクがＢＤ、ＨＤの何れであるかに拘わらず共通の受光面にて各ディスクからの反射光を受光できる。なお、インライン方式によるＤＰＰ法は従来周知であるため、ここでは説明を省略する。この場合には、光検出器２６のセンサパターンと、各センサからの出力を演算処理する信号増幅回路を適宜変更する必要がある。
【００６３】
ところで、上記実施の形態では、偏光ビームスプリッタ１３によって反射された後のレーザ光の光軸と同じ方向にレンズホルダ４１を移動させるようにしたが、図９に示すように、偏光ビームスプリッタ１３を透過した後のレーザ光の光軸と同じ方向にレンズホルダ４１を移動させるよう構成することもできる。この場合、コリメートレンズ１５、２０はＸ軸方向に変位される。また、半導体レーザ１１と１／２波長板１２の配置が図示の如く変更され、１／２波長板１２を通過した後のレーザ光を偏光ビームスプリッタ１３へと導くミラー６１が追加されている。
【００６４】
また、上記実施の形態では、２つのレンズホルダ４１、４６にコリメートレンズ２０、１５を装着し、第１の被支持部４１ｂと第２の被支持部４６ａ、４６ｂの間に隙間を設けることにより、コリメートレンズ２０、１５の移動ストロークを変位させるようにしたが、図１０に示すように、一つのレンズホルダ４１に２つのコリメートレンズ２０、１７を装着し、コリメートレンズ２０、１５を一体的に移動させるよう構成することもできる。この場合も、上記実施の形態と同様、レンズホルダ４１を第１の位置（コリメートレンズ２０の初期位置）に位置づけたときのコリメートレンズ１５の位置と、レンズホルダ４１を第２の位置（コリメートレンズ１５の初期位置）に移動させたときのコリメートレンズ２０の位置は、それぞれ、再生動作に対するフレア光の影響が抑制される位置に設定される。
【００６５】
なお、上記実施の形態では、図１（ｃ）に示す如く、偏光ビームスプリッタ１３に対するレーザ光の偏光方向を、偏光ビームスプリッタ１３の偏光面方向に対し４５°となるよう設定したが、ＨＤ用対物レンズ１９を経由するレーザ光とＢＤ用対物レンズ２４を経由するレーザ光の光量比を１：１から変化させる場合には、それに応じて、偏光ビームスプリッタ１３に対するレーザ光の偏光方向を調節すれば良い。この調節は、１／２波長板１２の回転位置を変化させることにより行える。また、１／２波長板１２を用いない場合には、光軸を軸として半導体レーザ１１を回転させることにより、偏光ビームスプリッタ１３に対するレーザ光の偏光方向を調節することができる。
【００６６】
さらに、上記実施の形態では、偏光ビームスプリッタ１３を用いてレーザ光の光路を２つに分割したが、ハーフミラーや、透過と反射の比率が所定の値に設定された無偏光ミラー等を用いてレーザ光の光路を分割することもできる。
【００６７】
この他、上記実施の形態は、ＢＤとＨＤの互換型光ピックアップ装置およびそれを内蔵する光ディスク装置に本発明を適用したものであったが、本発明は、これ以外の互換型光ピックアップ装置にも適宜適用可能である。
【００６８】
本発明の実施の形態は、特許請求の範囲に示された技術的思想の範囲内において、適宜、種々の変更が可能である。
【図面の簡単な説明】
【００６９】
【図１】実施の形態に係る光ピックアップ装置の構成を示す図
【図２】実施の形態に係るレンズホルダの駆動ストロークを説明する図
【図３】実施の形態に係るレンズホルダの移動位置と光検出器に対するレーザ光の照射状態の関係を示す図
【図４】実施の形態に係る光ディスク装置の回路構成を示す図
【図５】実施の形態に係る信号増幅回路の構成を示す図
【図６】実施の形態に係るコリメートレンズの配置条件を説明する図
【図７】実施の形態に係るコリメートレンズの他の配置条件を説明する図
【図８】実施の形態に係る光ピックアップ装置の変更例を示す図
【図９】実施の形態に係る光ピックアップ装置の他の変更例を示す図
【図１０】実施の形態に係る光ピックアップ装置の他の変更例を示す図
【符号の説明】
【００７０】
１１  …  半導体レーザ
１３  …  偏光ビームスプリッタ
１５、２０  …  コリメートレンズ
１９  …  ＨＤ用対物レンズ
２４  …  ＢＤ用対物レンズ
３１  …  対物レンズホルダ
３２  …  コイル
４１、４６  …  レンズホルダ
４１ｂ  …  第１の被支持部
４２ａ、ｂ、ｃ  …  ガイドシャフト
４４  …  ラックギア
４５  …  モータ
４５ａ  …  ウォームギア
４６ａ、ｂ  …  第２の被支持部
４７  …  バネ
５１  …  信号増幅回路
５３  …  サーボ回路
５５  …  マイクロコンピュータ
【図１】
2008262663.tif 000003
【図２】
2008262663.tif 000004
【図３】
2008262663.tif 000005
【図４】
2008262663.tif 000006
【図５】
2008262663.tif 000007
【図６】
2008262663.tif 000008
【図７】
2008262663.tif 000009
【図８】
2008262663.tif 000010
【図９】
2008262663.tif 000011
【図１０】
2008262663.tif 000012